(57)【要約】平行光の光源（１２）と、第１の走査要素（１４）と、第２の走査要素（１６）と、走査補償手段１８とを備えた眼の網膜を走査する走査検眼鏡（１０）及び方法を提供する。平行光の光源と、第１の走査要素と、第２の走査要素と、走査補償手段とを組み合わせて、見かけ上の点光源から二次元の平行光走査を行なう。走査検眼鏡はさらに、走査移動手段（２０）を有する。走査移動手段は二つの焦点を有し、見かけ上の点光源は、走査移動手段の第１の焦点に設け、眼（２２）は、走査移動手段の第２の焦点に位置させる。【選択図】図１
2009543585.tif 000002
【特許請求の範囲】
【請求項１】
平行光の光源と、
第１の走査要素と、
第２の走査要素と、
走査補償手段と、を備え、
見かけ上の点光源から二次元の平行光走査を行なうために前記平行光の光源と、前記第１の走査要素と、前記第２の走査要素と、前記走査補償手段を組み合わせ、
前記走査補償手段は、さらに、走査移動手段を備え、
前記走査移動手段は二つの焦点を有し、前記見かけ上の点光源は、前記走査移動手段の第１の焦点に設けられ、眼は、前記走査移動手段の第２の焦点に位置させ、
前記走査移動手段は、前記二次元の平行光走査を前記見かけ上の点光源から眼に移動させ、
前記第２の走査要素の回転軸は、前記走査移動手段の二つの焦点を結ぶ直線に対して略平行であり、
前記見かけ上の点光源から前記二次元の平行光走査を行なう場合、
前記走査移動手段は、１次元の平行光走査を行ない、前記走査移動手段の二つの焦点を結ぶ直線は、前記走査補償手段によって行なわれる１次元の平行光走査によって画定される面にほぼ位置する、眼の網膜の走査を行なう走査検眼鏡。
【請求項２】
前記第２の走査要素の回転軸は、前記走査移動手段の二つの焦点を結ぶ直線に対して略５度以内である、請求項１記載の走査検眼鏡。
【請求項３】
前記第２の走査要素の回転軸は、前記走査移動手段の二つの焦点を結ぶ直線に対して略２度以内である、請求項２記載の走査検眼鏡。
【請求項４】
前記第２の走査要素の回転軸と、前記走査移動手段の二つの焦点を結ぶ直線は、走査検眼鏡の１以上の構成要素の選択した偏心度に応じた平行度を有する、請求項１から請求項３までの何れかに記載の走査検眼鏡。
【請求項５】
前記第２の走査要素の回転軸と、前記走査移動手段の二つの焦点を結ぶ直線は、検眼鏡が生成する、網膜の許容なレベルの像のズレに応じて、走査検眼鏡のユーザが決定する平行度を有する、請求項１から請求項４までの何れかに記載の走査検眼鏡。
【請求項６】
前記走査移動手段の二つの焦点を結ぶ直線は、前記走査補償手段によって行なわれる１次元の平行光走査によって画定される面の略５度以内である、請求項１から請求項５までの何れかに記載の走査検眼鏡。
【請求項７】
前記走査移動手段の二つの焦点を結ぶ直線は、前記走査補償手段によって行なわれる１次元の平行光走査によって画定される面の略２度以内である、請求項６記載の走査検眼鏡。
【請求項８】
前記走査移動手段の二つの焦点を結ぶ直線と、前記走査補償手段によって行なわれる１次元の平行光走査によって画定される面は、走査検眼鏡の１以上の構成要素の選択した偏心度に応じた一致度を有する、請求項１から請求項７までの何れかに記載の走査検眼鏡。
【請求項９】
前記走査移動手段の二つの焦点を結ぶ直線と、前記走査補償手段によって行なわれる１次元の平行光走査によって画定される面は、検眼鏡が生成する、網膜の許容なレベルの像のズレに応じて、走査検眼鏡のユーザが決定する一致度を有する、請求項１から請求項８までの何れかに記載の走査検眼鏡。
【請求項１０】
前記走査補償手段は、楕円形の鏡を有する、請求項１から請求項９までの何れかに記載の走査検眼鏡。
【請求項１１】
前記走査補償手段は、非球面鏡を有する、請求項１０記載の走査検眼鏡。
【請求項１２】
前記走査補償手段は、楕円体（ｅｌｌｉｐｓｏｉｄａｌ）の鏡を有する、請求項１１記載の走査検眼鏡。
【請求項１３】
前記走査補償手段は、放物面鏡の組を有する、請求項１から請求項９までの何れか記載の走査検眼鏡。
【請求項１４】
前記走査補償手段は、放物面（ｐａｒａｂｏｌｏｉｄａｌ）鏡の組を有する、請求項１から請求項９までの何れか記載の走査検眼鏡。
【請求項１５】
前記走査移動手段は、楕円形の鏡を有する、請求項１から請求項１４までの何れかに記載の走査検眼鏡。
【請求項１６】
前記走査移動手段は、非球面鏡を有する、請求項１５記載の走査検眼鏡。
【請求項１７】
前記走査移動手段は、楕円体（ｅｌｌｉｐｓｏｉｄａｌ）の鏡を有する、請求項１６記載の走査検眼鏡。
【請求項１８】
前記走査移動手段は、放物面鏡の組を有する、請求項１から請求項１４までの何れか記載の走査検眼鏡。
【請求項１９】
前記走査移動手段は、放物面（ｐａｒａｂｏｌｏｉｄａｌ）鏡の組を有する、請求項１から請求項１４までの何れか記載の走査検眼鏡。
【請求項２０】
前記走査補償手段は、二つの焦点を有する、請求項１から請求項１９までの何れかに記載の走査検眼鏡。
【請求項２１】
前記走査補償手段の焦点の一つは前記走査移動手段の焦点の一つと一致する、請求項２０記載の走査検眼鏡。
【請求項２２】
前記第１の走査要素は、回転機構を有する、請求項１から請求項２１までの何れかに記載の走査検眼鏡。
【請求項２３】
前記第１の走査要素は、回転多面鏡を有する、請求項２２に記載の走査検眼鏡。
【請求項２４】
前記第２の走査要素は、振動機構を有する、請求項１から請求項２３までの何れかに記載の走査検眼鏡。
【請求項２５】
前記第２の走査要素は、振動平面鏡を有する、請求項２４に記載の走査検眼鏡。
【請求項２６】
前記平行光の光源は、レーザ光源を含む、請求項１から請求項２５までの何れかに記載の走査検眼鏡。
【請求項２７】
眼の瞳孔点から測定して１５０度までの走査を眼の網膜に行うことができる、請求項１から請求項２６までの何れかに記載の走査検眼鏡。
【請求項２８】
眼の瞳孔点から測定して１２０度の走査を眼の網膜に行うことができる、請求項２７記載の走査検眼鏡。
【請求項２９】
平行光の光源と、第１の走査要素と、第２の走査要素と、走査補償手段とを提供するステップと、
前記平行光の光源と、前記第１の走査要素と、前記第２の走査要素と、前記走査補償手段とを組み合わせて用いて、見かけ上の点光源から二次元の平行光走査を行なうステップと、
二つの焦点を有する走査移動手段を提供するステップと、
前記第２の走査要素を、その回転軸が前記走査移動手段の前記二つの焦点を結ぶ直線に対して略平行になるように配置するステップと、
前記見かけ上の点光源を、前記走査移動手段の第１の焦点に設け、眼を、前記走査移動手段の第２の焦点に位置させるステップと、
前記走査移動手段を用いて、前記二次元の平行光走査を前記見かけ上の点光源から眼に移動させるステップと、
前記見かけ上の点光源から前記二次元の平行光走査を行なう場合、
前記走査移動手段は、１次元の平行光走査を行ない、前記走査移動手段の二つの焦点を結ぶ直線は、前記走査補償手段によって行なわれる１次元の平行光走査によって画定される面にほぼ位置する、眼の網膜を走査する方法。
【発明の詳細な説明】
【技術分野】
【０００１】
本発明は、人間の網膜を走査する走査検眼鏡、および眼の網膜を走査する方法に関する。
【背景技術】
【０００２】
本出願人は、人間の網膜を走査する超広視野走査検眼鏡を欧州特許第０７３０４２８号で開示した。このシステムは、以下の構成部を含む。
１．低速走査要素
２．高速走査要素
３．楕円体（ｅｌｌｉｐｓｏｉｄａｌ）の主鏡
４．走査補償器
【０００３】
低速走査要素は、第１の方向に、入射レーザビームの走査を行う。高速走査要素は、第１の方向に直交する第２の方向に、入射レーザビームの走査運動を行う。高速走査要素は、楕円体の主鏡の第１の焦点（ｆｏｃｕｓ  ｐｏｉｎｔ）に位置し、被験者の瞳孔は、楕円体の主鏡の第２の焦点に位置する。したがって、鏡の第１の焦点から発せられた光は、反射して鏡の第２の焦点を通過し、被験者の瞳孔を通過する。
【０００４】
見かけ上の、すなわち仮想の点光源によって、システムは、網膜の超広視野（ｕｌｔｒａ−ｗｉｄｅ）網膜像を得ることができる。システムは、拡大していない瞳孔を２ｍｍごとに１２０度の外部走査することを可能にしている。
【発明の概要】
【発明が解決しようとする課題】
【０００５】
しかしながら、レーザビームを透過させるため、上述のシステムに修正を行う必要のあることを発見した。この修正とは、上述の構成要素の各々の間に横方向の間隔を設けることと入力レーザビームの方向に傾斜させることであった。
【０００６】
こうして修正したシステムはよく機能し、光をほぼ走査角度にわたって効率的に移動させることができることが判明している。しかしながら、入力ビームを傾斜させることによって、網膜の走査に「ズレ」部分が生じる。この「ズレ」部分は視野の位置の関数として変化する。この「ズレ」による歪みは、病状を診断する能力に影響は与えないが、最初の認識及び網膜像の内部の寸法を測定する性能に影響を与える。
【０００７】
本発明は、上述の不具合の一つ以上を解消又は低減する、改善した走査検眼鏡を提供することを目的とする。
【課題を解決するための手段】
【０００８】
本発明の第１の態様によると、平行光の光源と、第１の走査要素と、第２の走査要素と、走査補償手段と、を備え、見かけ上の点光源から二次元の平行光走査を行なうために前記平行光の光源と、前記第１の走査要素と、前記第２の走査要素と、前記走査補償手段を組み合わせ、前記走査補償手段は、さらに、走査移動手段を備え、前記走査移動手段は二つの焦点を有し、前記見かけ上の点光源は、前記走査移動手段の第１の焦点に設けられ、眼は、前記走査移動手段の第２の焦点に位置させ、前記走査移動手段は、前記二次元の平行光走査を前記見かけ上の点光源から眼に移動させ、前記第２の走査要素の回転軸は、前記走査移動手段の二つの焦点を結ぶ直線に対して略平行であり、前記見かけ上の点光源から前記二次元の平行光走査を行なう場合、前記走査移動手段は、１次元の平行光走査を行ない、前記走査移動手段の二つの焦点を結ぶ直線は、前記走査補償手段によって行なわれる１次元の平行光走査によって画定される面にほぼ位置する、眼の網膜の走査を行なう走査検眼鏡を提供する。
【０００９】
前記第２の走査要素の回転軸は、前記走査移動手段の二つの焦点を結ぶ直線に対して略５度以内であってもよい。前記第２の走査要素の回転軸は、前記走査移動手段の二つの焦点を結ぶ直線に対して略２度以内であってもよい。前記第２の走査要素の回転軸と、前記走査移動手段の二つの焦点を結ぶ直線は、走査検眼鏡の１以上の構成要素の選択した偏心度に応じた平行度を有してもよい。前記第２の走査要素の回転軸と、前記走査移動手段の二つの焦点を結ぶ直線は、検眼鏡が生成する、網膜の許容なレベルの像のズレに応じて、走査検眼鏡のユーザが決定する平行度を有してもよい。
【００１０】
前記走査移動手段の二つの焦点を結ぶ直線は、前記走査補償手段によって行なわれる１次元の平行光走査によって画定される面の略５度以内であってもよい。前記走査移動手段の二つの焦点を結ぶ直線は、前記走査補償手段によって行なわれる１次元の平行光走査によって画定される面の略２度以内であってもよい。前記走査移動手段の二つの焦点を結ぶ直線と、前記走査補償手段によって行なわれる１次元の平行光走査によって画定される面は、走査検眼鏡の１以上の構成要素の選択した偏心度に応じた一致度を有してもよい。前記走査移動手段の二つの焦点を結ぶ直線と、前記走査補償手段によって行なわれる１次元の平行光走査によって画定される面は、検眼鏡が生成する、網膜の許容なレベルの像のズレに応じて、走査検眼鏡のユーザが決定する一致度を有してもよい。
【００１１】
前記走査補償手段は、楕円形の鏡を有してもよい。前記走査補償手段は、非球面鏡を有してもよい。前記走査補償手段は、楕円体（ｅｌｌｉｐｓｏｉｄａｌ）の鏡を有してもよい。前記走査補償手段は、放物面鏡の組を有してもよい。前記走査補償手段は、放物面（ｐａｒａｂｏｌｏｉｄａｌ）鏡の組を有してもよい。前記走査移動手段は、楕円形の鏡を有してもよい。前記走査移動手段は、非球面鏡を有してもよい。前記走査移動手段は、楕円体（ｅｌｌｉｐｓｏｉｄａｌ）の鏡を有してもよい。前記走査移動手段は、放物面鏡の組を有してもよい。前記走査移動手段は、放物面（ｐａｒａｂｏｌｏｉｄａｌ）鏡の組を有してもよい。
【００１２】
前記走査補償手段は、二つの焦点を有してもよい。前記走査補償手段の焦点の一つは前記走査移動手段の焦点の一つと一致してもよい。前記第１の走査要素は、回転機構を有してもよい。前記第１の走査要素は、回転多面鏡を有してもよい。
【００１３】
前記第１の走査要素は、振動機構を有してもよい。前記第２の走査要素は、振動機構を有してもよい。前記第２の走査要素は、振動平面鏡を有してもよい。
【００１４】
前記第２の走査要素は、回転機構を有してもよい。前記第２の走査要素は、回転平面鏡を有してもよい。
【００１５】
前記平行光の光源は、レーザ光源を含んでもよい。前記平行光の光源は、発行ダイオードを含んでもよい。
【００１６】
走査検眼鏡は、眼の瞳孔点から測定して１５０度まで、例えば、１２０度、１１０度、９０度、６０度、４０度の走査を眼の網膜に行うことができてもよい。
【００１７】
走査検眼鏡は、２ｍｍの眼の拡大していない瞳孔を通して、眼の網膜の走査などを行うことができてもよい。
【００１８】
本発明の第２の態様によると、平行光の光源と、第１の走査要素と、第２の走査要素と、走査補償手段とを提供するステップと、前記平行光の光源と、前記第１の走査要素と、前記第２の走査要素と、前記走査補償手段とを組み合わせて用いて、見かけ上の点光源から二次元の平行光走査を行なうステップと、二つの焦点を有する走査移動手段を提供するステップと、前記第２の走査要素を、その回転軸が前記走査移動手段の前記二つの焦点を結ぶ直線に対して略平行になるように配置するステップと、前記見かけ上の点光源を、前記走査移動手段の第１の焦点に設け、眼を、前記走査移動手段の第２の焦点に位置させるステップと、前記走査移動手段を用いて、前記二次元の平行光走査を前記見かけ上の点光源から眼に移動させるステップと、前記見かけ上の点光源から前記二次元の平行光走査を行なう場合、前記走査移動手段は、１次元の平行光走査を行ない、前記走査移動手段の二つの焦点を結ぶ直線は、前記走査補償手段によって行なわれる１次元の平行光走査によって画定される面にほぼ位置する、眼の網膜を走査する方法を提供する。
【図面の簡単な説明】
【００１９】
【図１】平行光の光源から被験者の眼に入射する光路を示す、本発明による走査検眼鏡の走査補償手段と走査移動手段の光学的概略図である。
【発明を実施するための形態】
【００２０】
以下、例示にすぎないが、本発明の実施形態について、図面を参照して説明する。
【００２１】
走査検眼鏡は、瞳孔点で測定して、拡大していない瞳孔を２ｍｍごとに１２０度走査することができる。他の走査角度も可能である。
【００２２】
図１に示すように、走査検眼鏡１０は、レーザビーム１３を照射するレーザ１２である、平行光（ｃｏｌｌｉｍａｔｅｄ  ｌｉｇｈｔ）の光源と、第１の走査要素１４と、第２の走査要素１６と、走査補償手段１８と、走査移動手段２０と、を含む。
【００２３】
第１の走査要素１４は、高速回転する多面鏡であり、第２の走査要素１６は、低速振動する平面鏡である。多面鏡１４と振動平面鏡１６は、ラスタ走査パターンの形状の、レーザビーム１３の二次元の平行光による走査を行うように配置されている。多面鏡１４は、複数のファセット（ｆａｃｅｔ：小面、切子面）を有し、複数の第１の１次元の平行光による走査を行う。本発明の本実施の形態では、多面鏡１４が行なう走査は、レーザビーム１３の垂直方向の１次元の走査を含む。多面鏡が回転するごとに、多面鏡１４の各ファセットは、ラスタ走査パターンの垂直方向の走査要素を生成する。
【００２４】
図１に、多面鏡１４の一つのファセットが、このファセットが回転することによって生成する、垂直方向の１次元の走査のレーザビーム１３の光路を示す。光路Ａは、回転開始時に多面鏡１４から反射されるレーザビームの一例であり、光路Ｂは、回転の中間点で多面鏡１４から反射されるレーザビームの一例であり、光路Ｃは、回転終了時に多面鏡１４から反射されるレーザビームの一例である。
【００２５】
振動平面鏡１６は、第２の１次元の平行光による走査を行い、本発明の本実施の形態では、振動平面鏡１６が行なう走査は、レーザビーム１３の水平方向の１次元の走査を含む。これによって、ラスタ走査パターンの水平方向の走査要素を生成する。多面鏡１４と振動平面鏡１６は、このように協働して、ラスタ走査パターンの形状の、２次元の平行光による走査を行う。
【００２６】
走査補償手段１８は、二つの焦点を有する。ここで説明する本実施の形態では、走査補償手段は、楕円体の鏡であり、スリット鏡と呼ぶ。しかしながら、走査補償手段１８は、他の形状を有してもよいことを理解されたい。多面鏡１４は、スリット鏡１８の第１の焦点に位置し、振動平面鏡１６は、スリット鏡１８の第２の焦点に位置する。
【００２７】
走査移動手段２０は、楕円体の鏡で形成される非球面鏡であり、主鏡と呼ぶ。主鏡２０は、二つの焦点を有する。振動平面鏡１６も、主鏡２０の第１の焦点に位置する。被験者の眼２２は、主鏡２０の第２の焦点に位置する。
【００２８】
レーザビーム１３は、多面鏡１４、スリット鏡１８、振動平面鏡１６、及び主鏡２０を介して、被験者の眼２２に照射される。多面鏡１４、スリット鏡１８、振動平面鏡１６は、組み合わせて、見かけ上の点光源から、ラスタ走査パターンの形状の、２次元の平行光の走査を行う。こうして、振動平面鏡１６から被験者の眼２２まで、主鏡２０によって結ばれる。
【００２９】
被験者の眼２２の網膜から反射されたビームは、走査検眼鏡を介して戻り、被験者の網膜の像を生成するために利用される。
【００３０】
走査補償手段１８は、走査検眼鏡１０の内部で複数の機能を果たす。
【００３１】
走査補償手段１８の第１の機能は、多面鏡１４から振動平面鏡１６までレーザビーム１３の走査移動を行う機能である。走査補償手段１８は、レーザビーム１３が被験者の眼の瞳孔を通して入射する失敗の原因となりうる並進要素を用いずに点と点の移動を行う。このため、レーザビーム１３は見かけ上の点光源から入射するように見える。
【００３２】
多面鏡１４は、スリット鏡１８の第１の焦点に位置するため、多面鏡１４からの光は、多面鏡１４からスリット鏡１８への光の偏向角度とは無関係に、常にスリット鏡１８の第２の焦点を通過するように反射する。この効果によって、レーザビーム１３のラスタ走査パターンは乱れることなく被験者の眼２２の瞳孔に伝わる。このため、網膜の極めて広い網膜像を得ることができる。
【００３３】
走査補償手段１８の第２の機能は、走査角度の拡大である。超広視野レーザ操作検眼鏡には、必要とする角度範囲にわたってラスタ走査パターンを形成する際に、レーザビームを急速に偏向させることが困難であるという固有の問題がある。ラスタ走査パターンの「高速」部分を実現するために通常使用する構成要素は、一般的には、回転多面鏡である。例えば、６面の多面鏡は明らかに、１２０度の光走査を生成することができる。しかしながら、許容される像取得レートに見合うだけ走査を十分に高速にするためには、多面鏡は、極めて高速に回転する必要がある。これは、多面鏡走査システムには非現実的な高いパフォーマンスを要求する。
【００３４】
１２０度のレベルの走査を行なうためには、１６のファセットを有する多面鏡を用いてもよい。ファセットが１回転するごとに２２．５度の「機械的」走査と、４５度の「光学的」走査を行なう。かかる多面鏡を、走査角度を拡大する走査補償手段とともに使用することができる。このシステムは、多面鏡の回転速度を削減しながらも、許容されるレートで広角のラスタ走査パターンを生成することができる。
【００３５】
本発明の実施の形態では、多面鏡１４は、１６個のファセットを有する。ファセットの各々は、「扇形」のレーザ光線からなるレーザビーム１３の１次元走査を生成する。これらの光線は、スリット鏡１８に進む。光線は、振動平面鏡１６に焦点を合わせられる。スリット鏡１８の偏心度により、走査角度が拡大するようになる。例えば、１２０度のレベルの走査角度を実現するためには、スリット鏡１８が行なう走査角度の拡大は、入射角の三倍、すなわち、約３×４５度である必要がある。
【００３６】
走査補償手段１８の第３の機能は、レーザビーム１３の形状を形成して、主鏡２０によって生じる収差を静的に事前に補償することである。これによって、走査検眼鏡１０により生じる網膜像の解像度を向上する。さらに、スリット鏡走査補償手段１８が楕円体の鏡であれば、さらなる円柱レンズを必要とせずに非点収差を削減できる。
【００３７】
スリット鏡１８と主鏡２０の偏心度を注意して合わせることによって、真の走査線形性からの逸脱を適切に制御できる。対称的な逸脱を、眼の光学軸からの角度の関数として表すことによって、ソフトウェアで網膜の距離測定の単純に補償することができ、十分に直感的な網膜ディスプレイの表示を実現できる。
【００３８】
本発明では、走査検眼鏡１０の構成要素を、振動平面鏡１６の回転軸が主鏡２０の二つの焦点を結ぶ直線２４に対して略平行になるように配置する。さらに、見かけ上の点光源から二次元の平行光走査を行なう場合、多面鏡１４は、１次元走査を行い、スリット鏡走査補償手段１８の入射とする。スリット鏡１８もまた、１次元走査を行なう。走査検眼鏡１０の構成要素は、主鏡２０の二つの焦点を結ぶ直線２４が、スリット鏡１８によって生成される１次元の走査によって画定される面にほぼ位置するように配置する。このように構成要素を配置することによって、複数の利点が得られる。
【００３９】
振動平面鏡１６の回転軸を主鏡２０の二つの焦点を結ぶ直線２４に略平行として、直線２４を、スリット鏡１８が行なう１次元走査によって画定される面にほぼ位置させることによる主な利点として、走査している被験者の網膜像に「ズレ」部分がなくなる、または「ズレ」部分が減少する点である。これは、走査検眼鏡１０の構成要素を、入力レーザビーム１３に対して「傾斜」するように配置する必要がなくなり、主鏡２０の二つの焦点を結ぶ直線２４と二次元走査の水平方向と垂直方向の成分の間の直交度が向上するためである。
【００４０】
したがって、網膜像の内部の寸法を整合性を持って測定することができるので、これらの像の内部の形状の数値化をより単純かつ容易にできる。
【００４１】
本発明による走査検眼鏡の構成要素の配置の他の利点は、スリット鏡１８による走査角度の拡大量を制御できる点である。これは、多面鏡１４から縦断するレーザビーム１３が走査するスリット鏡１８の部分を適当に選択することによって行なってもよい。
【００４２】
スリット鏡１８から適当な部分を選択することは、レーザビーム１３の多面鏡１４への入射角を変化させる、或いは主鏡２０に対してスリット鏡１８を回転させることによって行なってもよい。例えば、図１に、スリット鏡１８の二つの焦点を、主鏡２０の二つの焦点から回転させてオフセットを設ける、すなわち、多面鏡１４を主鏡２０の二つの焦点に対して同一線上にないようにした状態を示す。スリット鏡１８の回転量を変化させることは、スリット鏡の部分に影響を与え、走査角度を拡大させることができる。したがって、走査角度の拡大を制御することができる。これに応じて、必要とする多面鏡１４のファセットの数を選択してもよい。こうして、多面鏡１４の柔軟性を所定のレベルに高めることができる。
【００４３】
適当な偏心度を有するスリット鏡を用いて、走査角度の拡大を変化させることもできる。
【００４４】
さらに、本発明の走査検眼鏡１０の構成要素の配置のさらなる利点は、走査検眼鏡の全ての構成要素を一つの面に配置することができるので、検眼鏡１０の製造を簡略化して、製造時間とコストを削減できる。さらに、このように配置することによって、検眼鏡１０に対する被験者の頭の位置に大きな柔軟性を与えることができる。
【００４５】
さらなる利点として、従来の検眼鏡と比較して、本発明の走査検眼鏡に含まれる構成要素の数を削減できる。これによって、本発明の検眼鏡の光学的明度が増加する。光学的明度は網膜像を取得する際に重要である。
【００４６】
したがって、本発明の走査レーザ検眼鏡１０は、従来技術の不具合を克服する、または軽減する。
【００４７】
以上説明した走査検眼鏡は、本発明の範囲を逸脱しない限りにおいて、様々な修正または改善が可能である。例えば、本実施の形態においてスリット鏡走査補償手段１８を二つの焦点を有する楕円体の鏡として説明したが、走査補償手段は、他の形状を有してもよい。例えば、走査補償手段は、楕円形の鏡と、一組の放物面鏡、一組の放物体鏡（ｐａｒａｂｏｌｏｉｄａｌ  ｍｉｒｒｏｒ）またはこれらの構成要素の任意の組み合わせを含んでもよい。これらの構成要素の配置の何れかにより提供される共通の技術的特徴は、走査補償手段が二つの焦点を有し、１次元の平行光走査を行なうことである。
【００４８】
楕円形の構成要素を走査補償手段に用いる場合、円柱レンズなどのビーム補償要素を提供することが必要になる場合がある。
【００４９】
さらに、上述の走査検眼鏡１０の配置では、多面鏡１４をスリット鏡１８の第１の焦点の位置に、振動平面鏡１６をスリット鏡１８を第２の焦点の位置に配置した場合について説明したが、多面鏡１４と振動平面鏡１６の位置は、検眼鏡１０の動作に影響を与えないのであれば、切り替えてもよい。
【００５０】
また、第２の走査要素を振動平面鏡１６として説明したが、これは、回転平面鏡でもよい。
【００５１】
さらに、多面鏡１４がレーザビーム１３の垂直方向の走査を行ない、振動平面鏡１６が水平方向の走査を行なうものとして説明したが、これら二つの構成要素の回転と振動の軸は、多面鏡１４がレーザビーム１３の水平方向の走査を行ない、振動平面鏡１６が垂直方向の走査を行なうように切り替えてもよい。
【００５２】
さらに、上述の本発明の実施の形態では、１２０度の光走査を行なうものとして説明したが、検眼鏡１０は、それ以下またはそれ以上の角度の光走査を行なうように構成してもよい。既に説明したように、これは、例えば、レーザビーム１３が縦断して走査するスリット鏡１８の部分の選択を変化させることによって、達成するようにしてもよい。
【００５３】
さらに、図１に示したように、検眼鏡１０の構成要素を、お互いに垂直方向に一直線に位置するように説明したが、検眼鏡１０の動作に影響を与えない限りにおいて、レーザ１２、多面鏡１４、スリット鏡１８が、振動平面鏡１６の回転軸を中心としてお互いに回転するようにしてもよい。すなわち、主鏡２０の二つの焦点を結ぶ直線２４がスリット鏡１８によって行なわれる１次元の走査によって画定される面にほぼ配置されるのであれば、上述の構成要素の向きがいかなるものであろうと、検眼鏡１０は、改善した網膜像を生成できる。
【００５４】
平行光の光源をレーザ１２として説明したが、平行光の光源は、発光ダイオードであってもよい。
【図１】
2009543585.tif 000003
【国際調査報告】
2009543585.tif 000004
2009543585.tif 000005
2009543585.tif 000006